【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
一般式（１）のポリマー結合多環式芳香族炭化水素化合物：
（Ｐ−Ｏ）ｘ−Ｑ−（Ｙ）ｗ          （１）
［式中、Ｐは、置換されていてもよいフェニル環を含む少なくとも３個の繰返し単位を有する重合体部分を表し、
Ｑは、ペリレン、カテリレン、又はテリレン部分を表し、
Ｙは、（ｉ）ハロゲン及び（ｉｉ）３〜約８個の環員を有し、Ｎ原子を介してＱに結合している置換されていてもよいＮ−ヘテロ脂環式基（ただし、少なくとも１つのＹは（ｉｉ）を表す）から選択され、
ｘは１〜４の整数を表し、
ｗは１〜４の整数を表す］。
【請求項２】
（ｘ＋ｗ）が約４以下である、請求項１に記載の化合物。
【請求項３】
Ｑが式（Ａ）又は（Ｂ）の基本構造を有する、請求項１又は２に記載の化合物：
【化１】
2015502420.tif 000001
［式中、Ｚ基は互いに同じか又は異なり、Ｏ、Ｓ、又はＮ−Ｒを表し、ただし、単位−ＣＯ−Ｚ−ＣＯ−（式（Ｂ）の場合、一方又は両方の単位）は単位−ＣＳ−Ｚ−ＣＯ−若しくは単位−ＣＳ−Ｚ−ＣＳ−で置き換えられていてもよく、又は［−ＣＯＯＨ  ＨＯＯＣ−］で置き換えられていてもよく（すなわち、無水物の代わりにジカルボン酸）、Ｚ＝Ｎ−Ｒの場合、単位−ＣＯ−Ｚ−ＣＯ−は式−Ｃ（＝ＮＲ’）−ＮＲ−ＣＯ−の単位で置き換えられていてもよく、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’はまた、それらが結合しているＮ原子と一緒になって、置換及び／又は縮合されていてもよい５〜７員環を形成してもよい］。
【請求項４】
式（Ｉ）、（ＩＩ）、又は（ＩＩＩ）の化合物である、請求項１〜３のいずれか一項に記載の化合物：
【化２】
2015502420.tif 000002
［式（ＩＩＩ）の場合、Ｚ基は互いに同じか又は異なり、Ｏ、Ｓ、又はＮ−Ｒを表し、ただし、一方又は両方の単位−ＣＯ−Ｚ−ＣＯ−は−ＣＳ−Ｚ−ＣＯ−、−ＣＳ−Ｚ−ＣＳ−、又は［−ＣＯＯＨ  ＨＯＯＣ−］で置き換えられていてもよく、Ｚ＝Ｎ−Ｒの場合、単位−ＣＯ−Ｚ−ＣＯ−は単位−Ｃ（＝ＮＲ’）−ＮＲ−ＣＯ−で置き換えられていてもよく、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’は、それらが結合しているＮ原子と一緒になって、置換及び／又は縮合されていてもよい５〜７員環を形成してもよく、
Ｒ１、Ｒ２、及びＲ３はそれぞれ独立して、水素、Ｃ１〜Ｃ４アルキル、Ｃ１〜Ｃ４アルキル−ＣＯＯＨ、Ｃ１〜Ｃ４アルキル−ＳＯ３Ｈ、Ｃ１〜Ｃ４アルコキシ、モノ（Ｃ１〜Ｃ４）アルキルアミノ、ジ（Ｃ１〜Ｃ４）アルキルアミノ、Ｃ１〜Ｃ４アミノアルキル、ハロゲン、シアノ、ニトロ、及びＳＯ３Ｈから選択され、アルキル基は置換されていてもよく、
Ｙは、（ｉ）ハロゲン、及び（ｉｉ）３〜約８個の環員を有し、Ｎ原子を介して芳香族環に結合している置換されていてもよいＮ−ヘテロ脂環式基から選択され、ただし、少なくとも１つのＹは（ｉｉ）を表し、
Ｐは、置換されていてもよいフェニル環を含む少なくとも３個の繰返し単位を有する重合体部分を表し、
ｗは１〜４の整数である］。
【請求項５】
Ｑが、式（Ｃ）、（Ｄ）又は（Ｅ）の基本構造を有する、請求項１又は２に記載の化合物：
【化３】
2015502420.tif 000003
［式中、Ｚ基は互いに同じか又は異なり、Ｏ、Ｓ、又はＮ−Ｒを表し、ただし、単位−ＣＯ−Ｚ−ＣＯ−（式（Ｃ）及び（Ｄ）の場合、一方又は両方の単位）は単位−ＣＳ−Ｚ−ＣＯ−若しくは単位−ＣＳ−Ｚ−ＣＳ−で置き換えられていてもよく、又は［−ＣＯＯＨ  ＨＯＯＣ−］で置き換えられていてもよく（すなわち、無水物の代わりにジカルボン酸）、Ｚ＝Ｎ−Ｒの場合、単位−ＣＯ−Ｚ−ＣＯ−は式−Ｃ（＝ＮＲ’）−ＮＲ−ＣＯ−の単位で置き換えられていてもよく、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’はまた、それらが結合しているＮ原子と一緒になって、置換及び／又は縮合されていてもよい５〜７員環を形成してもよい］。
【請求項６】
式（ＩＶ）〜（ＸＩＩ）のうちの１つの化合物である、請求項１、２及び５のいずれか一項に記載の化合物：
【化４】
2015502420.tif 000004
［式中、Ｚ基は互いに同じか又は異なり、Ｏ、Ｓ、又はＮ−Ｒを表し、ただし、式（ＩＶ）及び（Ｖ）の場合、一方又は両方の単位−ＣＯ−Ｚ−ＣＯ−は単位−ＣＳ−Ｚ−ＣＯ−、単位−ＣＳ−Ｚ−ＣＳ−、又は［−ＣＯＯＨ  ＨＯＯＣ−］で置き換えられていてもよく、Ｚ＝Ｎ−Ｒの場合、単位−ＣＯ−Ｚ−ＣＯ−は単位−Ｃ（＝ＮＲ’）−ＮＲ−ＣＯ−で置き換えられていてもよく、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’は、それらが結合しているＮ原子と一緒になって、置換及び／又は縮合されていてもよい５〜７員環を形成してもよく、
Ｒ１、Ｒ２、及びＲ３はそれぞれ独立して、水素、Ｃ１〜Ｃ４アルキル、Ｃ１〜Ｃ４アルキル−ＣＯＯＨ、Ｃ１〜Ｃ４アルキル−ＳＯ３Ｈ、Ｃ１〜Ｃ４アルコキシ、モノ（Ｃ１〜Ｃ４）アルキルアミノ、ジ（Ｃ１〜Ｃ４）アルキルアミノ、Ｃ１〜Ｃ４アミノアルキル、ハロゲン、シアノ、ニトロ、及びＳＯ３Ｈから選択され、アルキル基は置換されていてもよく、
Ｙは、（ｉ）ハロゲン、及び（ｉｉ）３〜約８個の環員を有し、Ｎ原子を介して芳香族環に結合している置換されていてもよいＮ−ヘテロ脂環式基から選択され、ただし、少なくとも１つのＹは（ｉｉ）を表し、
Ｐは、置換されていてもよいフェニル環を含む少なくとも３個の繰返し単位を有する重合体部分を表し、
ｗは１〜４の整数を表す］。
【請求項７】
少なくとも１つのＹ基が３〜約８個の環員を有するヘテロ脂環式基から選択され、環員は、Ｎ、Ｓ、及びＯから選択される１〜約３個のヘテロ原子を含み、ただし、少なくとも１つの環員はＮであり、ヘテロ脂環式化合物は、約１０個までの炭素原子を含むアルキル基及びアルコキシ基から選択される１個又は複数の置換基で置換されていてもよい、請求項１〜６のいずれか一項に記載の化合物。
【請求項８】
Ｐが一般式（２）の重合体化合物の残基である、請求項１〜７のいずれか一項に記載の化合物：
【化５】
2015502420.tif 000005
［式中、Ｒ４基は互いに同じか又は異なり、Ｃ１〜Ｃ１０アルキル及びＣ１〜Ｃ４アルコキシから選択され、
ｍは１〜約３０の整数を表し、
ｎは１〜約３の整数を表す］。
【請求項９】
請求項１〜８のいずれか一項に記載の化合物を作製する方法であって、非プロトン性極性有機溶媒中で、式Ｑ−（Ｈａｌ）ｖの化合物（式中、Ｈａｌはハロゲンを表し、ｖは２〜８の整数を表す）を、Ｎ含有脂環式化合物及び式Ｐ−ＯＨの重合体化合物と連続的に反応させるステップを含む、方法。
【請求項１０】
以下のとおり表される、請求項９に記載の方法：
【化６】
2015502420.tif 000006
［式中、
（）はＣＨ２を表し、少なくとも１つのＣＨ２基はＯ、ＮＨ、又はＳで置き換えることができ、
ｕは２〜７であり、
ｖは２〜８の整数である］。
【請求項１１】
極性液体媒体、及び前記媒体に溶解又は分散させた請求項１〜８のいずれか一項に記載の少なくとも１つのポリマー結合化合物を含む、印刷インキ組成物。
【請求項１２】
式（１）の少なくとも１つのポリマー結合化合物を、組成物の全重量に対して約０．０１重量％〜約４０重量％含む、請求項１１に記載の印刷インキ組成物。
【請求項１３】
請求項１〜８のいずれか一項に記載の少なくとも１つのポリマー結合化合物を含むマーキング又はセキュリティ機能。
【請求項１４】
スレッド、ラベル、バーコード、２Ｄコード、パターン、しるし、及びデータマトリックスの少なくとも１つを含む、請求項１３に記載のマーキング又はセキュリティ機能。
【請求項１５】
請求項１３又は１４に記載のマーキング又はセキュリティ機能を含む物品。
【請求項１６】
コード化又は暗号化された情報をもつことがある又はもつことがない缶、金属、アルミニウム箔、カートリッジ、カプセル、ガラス製物品、セラミック製物品、パッケージング、銀行券、旅券、セキュリティ文書、有価文書、チケット、スレッド、ラベル、カード、商品、及びタバコパッケージングの少なくとも１つである、請求項１５に記載の物品。
【請求項１７】
請求項１３又は１４に記載のマーキング又はセキュリティ機能を有する物品を用意するステップ、又は請求項１１又は１２に記載の印刷インキ組成物を物品に塗布するステップを含む、物品を認証する方法。
【請求項１８】
物品が、コード化又は暗号化された情報をもつことがある又はもつことがない缶、金属、アルミニウム箔、カートリッジ、カプセル、ガラス製物品、セラミック製物品、パッケージング、銀行券、旅券、セキュリティ文書、有価文書、チケット、スレッド、ラベル、カード、商品、及びタバコパッケージングの少なくとも１つである、請求項１７に記載の方法。
【請求項１９】
少なくとも約０．１％のポリマー分子に１〜４個の式−Ｑ−（Ｙ）ｗの残基が結合している［式中、Ｑは、ペリレン、カテリレン、又はテリレンの部分を表し、Ｙは、（ｉ）ハロゲン及び（ｉｉ）３〜８個の環員を有し、Ｎ原子を介してＱに結合している置換されていてもよいＮ−ヘテロ脂環式基から選択され、ただし、少なくとも１つのＹは（ｉｉ）を表し、
ｗは１〜４の整数を表し、ただし、さらにＱは同時に４個までのポリマー分子に結合していてもよい］、ポリマー。
【請求項２０】
一般式（２）の化合物である、請求項１９に記載のポリマー：
【化７】
2015502420.tif 000007
［式中、Ｒ４基は互いに同じか又は異なり、Ｃ１〜Ｃ１０アルキル及びＣ１〜Ｃ４アルコキシから選択され、
ｍは１〜約３０の整数を表し、
ｎは１〜約３の整数を表す］。